(57)【要約】【課題】客観的に質感の評価を行うことができる外観色質感評価方法、外観色質感評価装置及び外観色質感評価システムを提供する。【解決手段】外観色質感評価方法は、明度差、彩度差及び色相差のうち少なくとも２つを座標軸とする座標空間を生成するステップと、複数の所定角度に対応して、評価の対象となる塗装板における複数の色の属性を測色するステップと、測色されたそれぞれの色の属性に基づいて、測色明度差、測色彩度差及び測色色相差を算出するステップと、算出された測色明度差、測色彩度差及び測色色相差に基づいて、座標空間における評価対象プロットの位置を決定するステップと、決定された座標空間における位置に評価対象プロットを描き込み、評価対象プロットが描き込まれた座標空間を表示するステップと、座標空間における評価対象プロットの位置に基づいて、塗装板の外観色の質感を評価するステップとを含む。【選択図】図４
2012002704.tif 000002
【特許請求の範囲】
【請求項１】
明度差、彩度差及び色相差のうち少なくとも２つを座標軸とする座標空間を生成する生成ステップと、
複数の所定角度に対応して、評価の対象となる評価対象塗装板における複数の色の属性を測色する測色ステップと、
前記複数の所定角度に対応して測色されたそれぞれの前記色の属性に基づいて、測色明度差、測色彩度差及び測色色相差を算出する算出ステップと、
前記算出ステップにより算出された測色明度差、測色彩度差及び測色色相差に基づいて、前記座標空間における評価対象プロットの位置を決定する位置決定ステップと、
前記位置決定ステップにより決定された前記座標空間における位置に評価対象プロットを描き込み、評価対象プロットが描き込まれた座標空間を表示する表示ステップと、
前記座標空間における前記評価対象プロットの位置に基づいて、前記評価対象塗装板の外観色の質感を評価する評価ステップと、を含むことを特徴とする、外観色質感評価方法。
【請求項２】
前記算出ステップにおいて算出される測色明度差、測色彩度差及び測色色相差は、
前記複数の所定角度に対応する複数の色の属性に基づいて得られる複数の明度、複数の彩度及び複数の色相のうち、それぞれの最大値と最小値との差である最大明度差、最大彩度差及び最大色相差と、
前記複数の所定角度のうち第１の所定角度と第２の所定角度を選択し、前記第１の所定角度に対応する複数の色の属性に基づいて得られる明度、彩度及び色相と、第２の所定角度に対応する複数の色の属性に基づいて得られる明度、彩度及び色相とのそれぞれの差である２角度明度差、２角度彩度差及び２角度色相差と、
のうちの一方であることを特徴とする、請求項１に記載の外観色質感評価方法。
【請求項３】
前記表示ステップでは、前記評価対象プロットの色を、前記複数の所定角度のうちの基準角度において測色された前記評価対象塗装板の色に設定する、請求項１又は２に記載の外観色質感評価方法。
【請求項４】
前記座標空間において任意の領域を設定する設定ステップと、
前記設定ステップにおいて設定した前記領域と、質感を表す質感言語とを対応付ける対応付けステップと、をさらに含み、
前記表示ステップは、前記質感言語が選択された場合に、選択された質感言語に対応する領域を、前記評価対象プロットが描き込まれた前記座標空間に表示することを特徴とする、請求項１から３のいずれか１項に記載の外観色質感評価方法。
【請求項５】
画像を表示する画像表示部と、
複数の所定角度に対応して、評価の対象となる評価対象塗装板が測色されることにより得られた複数の色の属性が入力される入力部と、
前記複数の色の属性に基づいて得られる測色明度差、測色彩度差及び測色色相差の各情報を格納する測色値データベース部と、
明度差、彩度差及び色相差のうち少なくとも２つを座標軸とする座標空間において設定される領域と、質感を表す質感言語とを対応させた対応情報を格納する質感言語領域データベース部と、
前記座標空間を前記画像表示部に表示させる処理部と、
前記測色値データベース部に格納された測色明度差、測色彩度差及び測色色相差の各情報に基づく測色明度差、測色彩度差及び測色色相差のそれぞれに対応する前記座標空間における位置に評価対象プロットを描き込むと共に、前記質感言語領域データベース部に格納された前記対応情報に基づいて前記領域を前記座標空間に描き込む色差表示演算部と、を備えることを特徴とする、外観色質感評価装置。
【請求項６】
複数の所定角度に対応して、評価の対象となる評価対象塗装板を測色することにより得られた複数の色の属性に基づく測色明度差、測色彩度差及び測色色相差の各情報を格納する第１のデータベースと、
明度差、彩度差及び色相差のうち少なくとも２つを座標軸とする座標空間において設定される領域と、質感を表す質感言語とを対応させた対応情報を格納する第２のデータベースと、
前記座標空間を表示させる情報処理装置と、
前記第１のデータベースに格納された測色明度差、測色彩度差及び測色色相差の各情報に基づく測色明度差、測色彩度差及び測色色相差のそれぞれに対応する前記座標空間における位置に評価対象プロットを描き込むと共に、前記第２のデータベースに格納された前記対応情報に基づいて前記領域を前記座標空間に描き込む色差表示演算手段と、を備えることを特徴とする、外観色質感評価システム。
【発明の詳細な説明】
【技術分野】
【０００１】
本発明は、メタリック系やパール系の塗装色等の外観色における質感を評価する外観色質感評価方法、外観色質感評価装置及び外観色質感評価システムに関する。
【背景技術】
【０００２】
従来、外観色の質感は、多角度測色計を利用して、複数の所定角度に対応して塗装板を測色することにより得られる輝度又は明度に基づいて評価されることがあった。
【０００３】
また、外観色の質感の評価には、質感を、目を近づけて見たときに感じるミクロ質感と、遠目で見て感じるマクロ質感とに分け、ミクロ質感やマクロ質感における金属感の強弱やヌケ感の強弱等をカラーデザイナが評価して順位をつけることに基づいて、質感の強弱を求めることにより行われる方法がある（特許文献１参照）。
【０００４】
さらに、外観色の質感の評価には、ミクロ光輝感測定装置を用いてミクロ質感の測定を行うことにより、粒子感を表すＨＧ（Ｈｉ−ｌｉｇｈｔ  Ｇｒａｉｎｉｎｅｓｓ）値とキラキラ感を表すＨＢ（Ｈｉ−ｌｉｇｈｔ  Ｂｒｉｌｌｉａｎｃｅ）値とを得る一方、多角度測色計を用いてマクロ質感の測定を行うことにより、ハイライト側の明度及び彩度と、フェース（正面）の明度及び彩度とを得て、ＨＧ値と、ＨＢ値と、ハイライト側の明度及び彩度と、フェースの明度及び彩度とをレーダーチャートに記載することにより、視覚的かつ直感的に行う方法がある（特許文献２参照）。
【先行技術文献】
【特許文献】
【０００５】
【特許文献１】特開２００３−２７９４１３号公報
【特許文献２】特開２００４−２７１４６７号公報
【発明の概要】
【発明が解決しようとする課題】
【０００６】
しかしながら、塗装板を測色することにより得られる輝度又は明度に基づいて質感を評価する場合では、評価の指標が輝度又は明度のみであるためデータ量が少なく、質感を割り出すことが困難である。さらに、質感について定量的に把握することができないため、塗料メーカと自動車メーカとの間や、自動車メーカのカラーデザイナと工場ラインの担当者との間において、互いに塗装色を特定することができず、塗料の開発や塗装色の品質管理が困難であるという課題がある。
【０００７】
また、特許文献１に記載された発明は、カラーデザイナが官能評価を行っているために、質感の評価結果は客観性に欠ける。
【０００８】
また、特許文献２に記載された発明は、特殊な機材となっているミクロ光輝感測定装置を利用するため、汎用的に使用して質感評価を行うことは難しく、また、得られる質感評価の結果にどの程度の客観性があるのか不明である。
【０００９】
そして、質感を数値的にも視覚的にも誰もがわかりやすく、簡易的に表現することができない場合には、特に、メタリック系やパール系の塗装色の開発や品質評価が困難である。また、質感に関しては、個人差があるだけではなく、国や民族による感覚や言葉の違いが存在するために、客観的な指標の作成が必要とされている。
【００１０】
本発明は、客観的に質感の評価を行うことができる外観色質感評価方法、外観色質感評価装置及び外観色質感評価システムを提供することを目的とする。
【課題を解決するための手段】
【００１１】
本発明者らは、客観的に質感の評価を行うことができる外観色質感評価方法、外観色質感評価装置及び外観色質感評価システムを見出し、本発明を完成するに至った。上記課題を解決するために、本発明は以下のような手段を提供する。
【００１２】
（１）明度差、彩度差及び色相差のうち少なくとも２つを座標軸とする座標空間を生成する生成ステップと、複数の所定角度に対応して、評価の対象となる評価対象塗装板における複数の色の属性を測色する測色ステップと、前記複数の所定角度に対応して測色されたそれぞれの前記色の属性に基づいて、測色明度差、測色彩度差及び測色色相差を算出する算出ステップと、前記算出ステップにより算出された測色明度差、測色彩度差及び測色色相差に基づいて、前記座標空間における評価対象プロットの位置を決定する位置決定ステップと、前記位置決定ステップにより決定された前記座標空間における位置に評価対象プロットを描き込み、評価対象プロットが描き込まれた座標空間を表示する表示ステップと、前記座標空間における前記評価対象プロットの位置に基づいて、前記評価対象塗装板の外観色の質感を評価する評価ステップと、を含むことを特徴とする、外観色質感評価方法。
【００１３】
本発明のこのような構成によれば、１つの評価対象塗装板を測色することに基づいて得られる測色明度差、測色彩度差及び測色色相差の位置を決定するための評価対象プロットを座標空間に描き、座標空間における評価対象プロットの位置や分布に基づいて評価対象塗装板の外観色の質感を評価する。したがって、本発明によれば、客観的に質感を評価することができる。
【００１４】
（２）前記算出ステップにおいて算出される測色明度差、測色彩度差及び測色色相差は、前記複数の所定角度に対応する複数の色の属性に基づいて得られる複数の明度、複数の彩度及び複数の色相のうち、それぞれの最大値と最小値との差である最大明度差、最大彩度差及び最大色相差と、前記複数の所定角度のうち第１の所定角度と第２の所定角度を選択し、前記第１の所定角度に対応する複数の色の属性に基づいて得られる明度、彩度及び色相と、第２の所定角度に対応する複数の色の属性に基づいて得られる明度、彩度及び色相とのそれぞれの差である２角度明度差、２角度彩度差及び２角度色相差と、のうちの一方であることを特徴とする、（１）に記載の外観色質感評価方法。
【００１５】
本発明のこのような構成によれば、最大明度差、最大彩度差及び最大色相差に基づく評価対象プロットと、２角度明度差、２角度彩度差及び２角度色相差に基づく評価対象プロットとのいずれか一方を座標空間に描くことができる。したがって、種々の評価対象塗装板に対して適切な使い分けができる。
【００１６】
（３）前記表示ステップでは、前記評価対象プロットの色を、前記複数の所定角度のうちの基準角度において測色された前記評価対象塗装板の色に設定する、（１）又は（２）に記載の外観色質感評価方法。
【００１７】
本発明のこのような構成によれば、座標空間に描き込まれた評価対象プロットは、基準角度における評価対象塗装板の塗装色を示すので、塗装色の把握を行いやすくすることができる。
【００１８】
（４）前記座標空間において任意の領域を設定する設定ステップと、前記設定ステップにおいて設定した前記領域と、質感を表す質感言語とを対応付ける対応付けステップと、をさらに含み、前記表示ステップは、前記質感言語が選択された場合に、選択された質感言語に対応する領域を、前記評価対象プロットが描き込まれた前記座標空間に表示することを特徴とする、（１）から（３）のいずれか１項に記載の外観色質感評価方法。
【００１９】
本発明のこのような構成によれば、座標空間における任意の領域と質感を表す質感言語とを対応させるので、質感言語に対応する質感に当てはまる評価対象プロットを特定することができる。
【００２０】
（５）画像を表示する画像表示部と、複数の所定角度に対応して、評価の対象となる評価対象塗装板が測色されることにより得られた複数の色の属性が入力される入力部と、前記複数の色の属性に基づいて得られる測色明度差、測色彩度差及び測色色相差の各情報を格納する測色値データベース部と、明度差、彩度差及び色相差のうち少なくとも２つを座標軸とする座標空間において設定される領域と、質感を表す質感言語とを対応させた対応情報を格納する質感言語領域データベース部と、前記座標空間を前記画像表示部に表示させる処理部と、前記測色値データベース部に格納された測色明度差、測色彩度差及び測色色相差の各情報に基づく測色明度差、測色彩度差及び測色色相差のそれぞれに対応する前記座標空間における位置に評価対象プロットを描き込むと共に、前記質感言語領域データベース部に格納された前記対応情報に基づいて前記領域を前記座標空間に描き込む色差表示演算部と、を備えることを特徴とする、外観色質感評価装置。
【００２１】
本発明のこのような構成によれば、１つの評価対象塗装板を測色することに基づいて得られる測色明度差、測色彩度差及び測色色相差の位置を決定するための評価対象プロットを座標空間に描き、座標空間における評価対象プロットの位置や分布に基づいて評価対象塗装板の外観色の質感を評価する。したがって、本発明によれば、客観的に質感を評価することができる。
【００２２】
（６）複数の所定角度に対応して、評価の対象となる評価対象塗装板を測色することにより得られた複数の色の属性に基づく測色明度差、測色彩度差及び測色色相差の各情報を格納する第１のデータベースと、明度差、彩度差及び色相差のうち少なくとも２つを座標軸とする座標空間において設定される領域と、質感を表す質感言語とを対応させた対応情報を格納する第２のデータベースと、前記座標空間を表示させる情報処理装置と、前記第１のデータベースに格納された測色明度差、測色彩度差及び測色色相差の各情報に基づく測色明度差、測色彩度差及び測色色相差のそれぞれに対応する前記座標空間における位置に評価対象プロットを描き込むと共に、前記第２のデータベースに格納された前記対応情報に基づいて前記領域を前記座標空間に描き込む色差表示演算手段と、を備えることを特徴とする、外観色質感評価システム。
【００２３】
本発明のこのような構成によれば、１つの評価対象塗装板を測色することに基づいて得られる測色明度差、測色彩度差及び測色色相差の位置を決定するための評価対象プロットを座標空間に描き、座標空間における評価対象プロットの位置や分布に基づいて評価対象塗装板の外観色の質感を評価する。したがって、本発明によれば、客観的に質感を評価することができる。
【発明の効果】
【００２４】
本発明によれば、客観的に質感の評価を行うことができる。
【図面の簡単な説明】
【００２５】
【図１】本発明の一実施形態に係る外観色質感評価システム１０を示す図である。
【図２】明度差、彩度差及び色相差を各座標軸として構築される空間により示された質感空間グラフを示す。
【図３】塗装色がソリッドカラー、メタリックカラー及びパールカラーの場合に、質感空間グラフにプロットされる指標の位置を表す図である。
【図４】質感空間グラフを表示する処理の流れを説明するフローである。
【図５】最大明度差、最大彩度差及び最大色相差を各座標軸として構築される空間により示された質感空間グラフを示す質感空間グラフを示す。
【図６】シミュレーション画像を作成する処理の流れについて説明するフローである。
【図７Ａ】シミュレーション画像の一例を示す図である。
【図７Ｂ】シミュレーション画像を生成するためのデータ読み込み画像の一例を示す図である。
【図８】２次元の座標空間を作成する場合の処理の流れについて説明するフローである。
【図９】複数の評価対象プロットがプロットされたΔＬ＊ΔＣ＊面を示す。
【図１０】複数の評価対象プロットがプロットされたΔＬ＊Δｈ面を示す。
【図１１】言語付与処理について説明するフローである。
【図１２】質感空間グラフにおける質感言語領域と、質感を表す言葉とを対応付ける場合の一例について示す図である。
【図１３】質感言語領域を表示する処理のフロー図である。
【図１４】本発明の一実施形態に係る情報処理装置５００のハードウェア構成を示す図である。
【発明を実施するための形態】
【００２６】
以下、本発明の実施形態について説明する。なお、これはあくまでも一例であって、本発明の技術的範囲はこれに限られるものではない。いくつかの実施形態において、本発明に係る外観色質感評価システムが、自動車の塗装色を扱うことを典型的に示すが、本発明はこれに限らず、塗装色を含む外観色の質感評価システムとして動作することが可能である。
【００２７】
図１は、本発明の一実施形態に係る外観色質感評価システム１０を示す図である。外観色質感評価システム１０は、情報処理装置としての質感評価装置２０、第１のデータベースとしての測色値ＤＢ（データベース）３１、第２のデータベースとしての質感言語領域ＤＢ３２、ネットワーク５０を備え、さらにデジタル複合機５５、ユーザ端末６０、電子的表示装置６５等を適宜含む。
【００２８】
質感評価装置２０は、好適には、数値化情報の入出力手段と、画像表示手段と、後述する色差表示演算手段とを備えるコンピュータ機器である。例えば、質感評価装置２０は、カラーモニタ装置等のグラフィック表示手段、キーボード、マウス、データベース・サーバ装置に接続可能なネットワーク・インタフェース等を備えたコンピュータ機器を用いることができる。
【００２９】
測色値ＤＢ３１は、後述するように、多角度測色計（図示せず）を利用して、複数の所定角度に対応して、評価の対象となる塗装板（評価対象塗装板）を測色することにより得られた複数の色の属性に基づく明度差ΔＬ＊（測色明度差）、彩度差ΔＣ＊（測色彩度差）及び色相差Δｈ（測色色相差）の各情報を格納する。
【００３０】
質感言語領域ＤＢ３２は、後述するように、明度差ΔＬ＊、彩度差ΔＣ＊及び色相差Δｈのうち少なくとも２つを座標軸とする座標空間（質感空間グラフ）において設定される領域と、質感を表す質感言語とを対応させた対応情報を格納する。
【００３１】
ネットワーク５０は、質感評価装置２０、測色値ＤＢ３１及び質感言語領域ＤＢ３２を相互に接続可能なコンピュータ・ネットワークである。ネットワーク５０は、ローカル・エリア・ネットワークでもよく、インターネット等の広域ネットワークでもよい。ネットワーク５０の形態は有線でも無線でも何でもよい。
【００３２】
デジタル複合機５５は任意の構成要素であり、好適には、カラースキャナ及びカラープリンタの機能を有する入出力装置である。図１には、これらの機能を１つの筐体に備えるデジタル複合機５５を示すが、これに限定せず、単独の測色器、単独のカラー印刷機等を、本発明に係る外観色質感評価システム１０に含めてもよい。
【００３３】
ユーザ端末６０は任意の構成要素であり、例えば、ネットワーク５０に接続可能なネットワーク・インタフェースを備えた端末装置である。電子的表示装置６５は任意の構成要素であり、例えば、複数のユーザに対して画像を提示することのできる大型ディスプレイ装置等である。
【００３４】
図１には、測色値ＤＢ３１及び質感言語領域ＤＢ３２がそれぞれネットワーク５０を介して質感評価装置２０に接続される例を示したが、これらのデータベースは質感評価装置２０に直接的に接続されてもよく、内蔵されてもよい。これらのデータベースの形態は独立したサーバ装置等でもよく、磁気記憶媒体等を適宜分割して設けられてもよい。
【００３５】
このような外観色質感評価システム１０は、メタリック系やパール系の塗装色の質感を評価するために質感を表す質感空間グラフを利用する。図２は、明度差、彩度差及び色相差を各座標軸として構築される空間により示された質感空間グラフを示す。質感空間グラフは、図２に示すように、明度差ΔＬ＊、彩度差ΔＣ＊及び色相差Δｈを座標軸とする座標空間である。そして、１枚の塗装板が測色されることにより得られた複数の測色値に基づく明度差ΔＬ＊と、彩度差ΔＣ＊と、色相差Δｈとに対応する位置を質感空間グラフに描いた（プロットした）場合、質感空間グラフには、明度差ΔＬ＊と彩度差ΔＣ＊と色相差Δｈとのそれぞれに対応する位置に１つの評価対象プロット（図２に示す「黒丸」）が配置される。なお、図２は、複数の塗装板が測色されることに基づいて複数の評価対象プロットが質感空間グラフに描かれた場合を示している。
【００３６】
上述した質感空間グラフにプロットされる評価対象プロットの位置には、塗装板の塗装色に応じた特定の傾向が存在する。図３は、塗装色がソリッドカラー、メタリックカラー及びパールカラーの場合に、質感空間グラフに描かれる評価対象プロットの位置を表す図である。
【００３７】
塗装色がソリッドカラーの場合には、評価対象プロットは、図３に示す位置１０１付近にプロットされる。光輝材の入っていないソリッドカラーの塗装色は、多角度測色計によって複数の所定角度に対応して測色される場合、その複数の所定角度にそれぞれ対応する測色値が略同一になるため、明度差、彩度差及び色相差のいずれの値も０値近くになり、質感空間グラフの角部に偏って評価対象プロットが分布することになる。
【００３８】
また、塗装色がメタリックカラーの場合には、評価対象プロットは、図３に示す位置１０２付近にプロットされる。メタリックカラーの塗装色は、多角度測色計によって複数の所定角度に対応して測色される場合に、その複数の所定角度にそれぞれ対応する測色値（特に、明度）が異なるために、明度差が大きくなる。このため、塗装色がメタリックカラーの場合には、評価対象プロットは、質感空間グラフにおける明度差が大きい位置にプロットされる。
【００３９】
さらに、塗装色がパールカラーの場合には、評価対象プロットは、図３に示す位置１０３付近にプロットされる。パールカラーは、光の乱反射を生じさせるため、光沢感が少ない代わりに、色相の分布範囲が大きくなる。このため、塗装色がパールカラーの場合には、評価対象プロットは、色相差を表す座標軸に偏ってプロットされる。
【００４０】
なお、一般的に、メタリック系やパール系の塗装色の基本的な質感は、陰影感によって決定される。陰影感は、複数の所定角度（ここでは、１５°、２５°、４５°、７５°及び１１０°）のうち一般的にハイライトと呼ばれる１５°又は２５°の明度と、フェース（正面）と呼ばれる４５°の明度と、それら２つの明度の差であるフリップフロップ値とから表される。フリップフロップ値が大きい場合には、陰影感が増加する。そして、陰影感が大きい塗装色の場合には、その塗装色に対応する評価対象プロットは、質感空間グラフにおいて明度差ΔＬ＊の座標軸における値の大きな位置に描き込まれる。また、明度差ΔＬ＊が大きければ大きい程、塗装色には光沢感が出てキラキラ感が増す。また、光が乱反射するようなパール系の塗装色の場合、光沢感が少ない代わりに、色相ｈの分布範囲は大きくなる。このように、塗装色の種類に応じて、質感空間グラフに描き込まれる評価対象プロットがどのように分布するのか傾向が出てくる。すなわち、塗装色の質感の違いにより、質感空間グラフにおける評価対象プロットのプロット位置は変化する。
【００４１】
次に、質感空間グラフを画像表示手段に表示させる処理の流れについて説明する。図４は、質感空間グラフを表示する処理の流れを説明するフローである。図５は、最大明度差、最大彩度差及び最大色相差を各座標軸として構築される空間により示された質感空間グラフを示す。
【００４２】
ステップＳＴ１００において、多角度測色計（図示せず）は、複数の所定角度に対応して、評価の対象となる塗装板における複数の色の属性を測色する。複数の色の属性は、例えば、Ｌ＊ａ＊ｂ＊表色系における明度Ｌ＊、色度ａ＊及び色度ｂ＊である。多角度測色計は、例えば、塗装板に対して−４５°の角度で光を入射させ、塗装板に対して複数の所定角度（例えば、１５°、２５°、４５°、９０°及び１１０°）で光を受光することに基づいて分光測色を行うものであってよい。
【００４３】
ステップＳＴ１０１において、質感評価装置２０は、多角度測色計から複数の色の属性（測色値）を入力する。
【００４４】
ステップＳＴ１０２において、質感評価装置２０は、２角度別の色相差、明度差、彩度差を計算する。すなわち、質感評価装置２０は、複数の所定角度に対応して測色されたそれぞれの色の属性に基づいて、測色明度差、測色彩度差及び測色色相差を算出する。
【００４５】
具体的には、まず質感評価装置２０は、多角度測色計から入力された測色値（明度Ｌ＊、色度ａ＊及び色度ｂ＊）からＬ＊Ｃ＊ｈ表色系の彩度Ｃ＊及び色相ｈを求める。この場合、彩度Ｃ＊は、数１に示すように、色度ａ＊及び色度ｂ＊から得られる。また、色相ｈは、数２に示すように、色度ａ＊及び色度ｂ＊から得られる。
【数１】
2012002704.tif 000003
【数２】
2012002704.tif 000004
【００４６】
次に、質感評価装置２０は、多角度測色計により測色された複数の所定角度の中から、第１の所定角度と第２の所定角度とを選択する。ここで、第１の所定角度と第２の所定角度としては、多角度測色計により測色される複数の所定角度、例えばここでは、１５°、２５°、４５°、９０°及び１１０°の中から任意に選択されるそれぞれ異なる角度をいう。質感評価装置２０は、第１の所定角度の測色結果に基づいて求められた明度と、第２の所定角度の測色結果に基づいて求められた明度との差分を、２角度別の明度差として求める。同様に、質感評価装置２０は、第１の所定角度の測色結果に基づいて求められた彩度と、第２の所定角度の測色結果に基づいて求められた彩度との差分を、２角度別の彩度差として求める。また、質感評価装置２０は、第１の所定角度の測色結果に基づいて求められた色相と、第２の所定角度の測色結果に基づいて求められた色相との差分を、２角度別の色相差として求める。
【００４７】
ステップＳＴ１０３において、質感評価装置２０は、多角度測色計により複数の所定角度（ここでは、５つの角度）に対応して測色された結果に基づいて、最大色相差、最大明度差及び最大彩度差を計算する。最大色相差とは、多角度測色計により複数の所定角度（ここでは、５つの角度）に対応して測色された結果に基づいてそれぞれ得られる色相のうちの、最大値と最小値との差分をいう。同様に、最大明度差とは、多角度測色計により複数の所定角度（ここでは、５つの角度）に対応して測色された結果に基づいてそれぞれ得られる明度のうちの、最大値と最小値との差分をいう。また、最大彩度差とは、多角度測色計により複数の所定角度（ここでは、５つの角度）に対応して測色された結果に基づいてそれぞれ得られる彩度のうちの、最大値と最小値との差分をいう。
【００４８】
以上のステップＳＴ１００からＳＴ１０３の処理は、１枚の塗装板に対して実行される処理である。したがって、複数枚の塗装板が存在する場合には、当該複数枚の塗装板の各々に対して、ステップＳＴ１００からＳＴ１０３の処理がそれぞれ実行される。
【００４９】
ステップＳＴ１０４において、質感評価装置２０は、ステップＳＴ１００及びステップＳＴ１０１のそれぞれの処理が複数行われている場合には、質感空間グラフに描き込む（プロットする）評価対象プロットに対応する塗装板（表示塗装板）を選択する。
【００５０】
ステップＳＴ１０５において、質感評価装置２０は、評価対象プロットを質感空間グラフに描くための測色色相差、測色明度差及び測色彩度差として、ステップＳＴ１０２により得られた色相差（２角度色相差）、明度差（２角度明度差）及び彩度差（２角度彩度差）と、ステップＳＴ１０３により得られた最大色相差、最大明度差及び最大彩度差とのうちのいずれかを選択する。
【００５１】
ステップＳＴ１０６において、質感評価装置２０は、ステップＳＴ１０５により選択された、２角度色相差、２角度明度差及び２角度彩度差と、最大色相差、最大明度差及び最大彩度差とのうちの一方に基づいて、評価対象プロットを質感空間グラフに描くためのプロット位置を算出する。なお、質感空間グラフは、ステップＳＴ１００の処理が行われる前に、質感評価装置２０によって生成される。
【００５２】
ステップＳＴ１０７において、質感評価装置２０（質感評価装置２０を構成する色差表示演算手段）は、ステップＳＴ１０６により算出されたプロット位置（評価対象プロット）を質感空間グラフに描き（プロット）して（図２及び図５参照）、評価対象プロットが描かれた質感空間グラフを画像表示手段に表示させる。評価対象プロットは、球形で表される。また、評価対象プロットは、複数の所定角度のうちの基準角度において測色された塗装板の色に設定されていてもよい。この場合、基準角度は、複数の所定角度（ここでは、１５°、２５°、４５°、７５°及び１１０°）の中で正面とされる４５°であることが好ましい。なお、１つの塗装板からは、１つの評価対象プロットが得られる。また、質感空間グラフには、図２及び図５に示すように複数の塗装板を測色したことに基づく複数の評価対象プロットが描かれてもよく、１つの塗装板を測色したことに基づく１つの評価対象プロットのみが描かれてもよい。質感空間グラフに複数の評価対象プロットがプロットされた場合には、１つの質感空間グラフにより複数の塗装板の塗装色の質感を比較することが容易になる。
【００５３】
質感空間グラフにおける評価対象プロットの位置や分布は、塗装色がメタリック系やパール系の場合には、塗料に含まれる光輝材の種類に応じて異なる。このため、質感空間グラフにおける評価対象プロットの位置や分布に基づいて、塗装色の質感の傾向を客観的に把握することができる。
【００５４】
ステップＳＴ１０８において、質感評価装置２０は、ステップＳＴ１０４において選択された塗装板（表示塗装板）を変更するか否かにつき判断する。表示塗装板を変更する場合（Ｙｅｓ）には、ステップＳＴ１０４に進み、それ以降の処理が繰り返される。すなわち、ステップＳ１０４において、別の表示塗装板が選択され、ステップＳＴ１０５からＳＴ１０７において、別の表示塗装板についての質感空間グラフが表示される。表示塗装板を変更しない場合（Ｎｏ）には、ステップＳＴ１０９に進む。
【００５５】
ステップＳＴ１０９において、質感評価装置２０は、ステップＳＴ１０５において選択された計算結果を変更するか否かにつき判断する。計算結果を変更する場合（Ｙｅｓ）には、ステップＳＴ１０５に進み、それ以降の処理が繰り返される。ステップＳＴ１０６において、別の計算結果が選択され、ステップＳＴ１０６及びステップＳＴ１０７において、別の計算結果についての質感空間グラフが表示される。計算結果を変更しない場合（Ｎｏ）には、質感空間グラフを表示する処理を終了して、質感を評価する処理を行う。すなわち、質感評価処理は、質感空間グラフにおいて評価対象プロットが配置される位置の傾向に応じて、塗装色の質感を評価する処理のことである。
【００５６】
以上に説明したように、質感空間グラフに描かれる評価対象プロットの位置や分布に基づいて、塗装板における塗装色の質感を評価することができる。このため、塗料メーカと自動車メーカとの間や、自動車メーカのカラーデザイナと工場ラインの担当者との間において、互いに塗装色を特定することができ、カラーデザイナの塗装色開発やマーケティングが容易になると共に、世界各国で異なる質感感覚の分布図を作成することが可能になり、今までに表現できなかった質感の嗜好性について把握することができる。さらに、複数の塗装色の質感の違いを評価することも可能になり、マーケティングやカラーデザインの塗装色開発を支援することができる。
【００５７】
上記のような外観色質感評価システム１０では、質感空間グラフに描かれる評価対象プロットが選択された場合、具体例としては、質感評価装置２０の画像表示手段に質感空間グラフ及び評価対象プロットを表示させておき、マウス等によって評価対象プロットが選択された場合に、選択された評価対象プロットに対応する測色値をシミュレーション画像として画像表示手段に表示させてもよい。
【００５８】
次に、シミュレーション画像を作成する処理の流れについて説明する。図６は、シミュレーション画像を作成する処理の流れについて説明するフローである。図７Ａは、シミュレーション画像の一例を示す図である。図７Ｂは、シミュレーション画像を生成するためのデータ読み込み画像の一例を示す図である。
【００５９】
ここで、後述するステップＳＴ２０１からステップＳＴ２０４の処理は、上述した質感空間グラフを表示するためのステップＳＴ１０１からステップＳＴ１０７の処理と共に行われてもよく、また質感空間グラフを表示するいずれかのステップの処理と同じものは、その処理を共有させてもよい。
ステップＳＴ２０１において、多角度測色計（図示せず）は、複数の所定角度（例えば、１５°、２５°、４５°、９０°及び１１０°）に対応して、評価の対象となる塗装板の複数の色の属性を測色する。複数の色の属性は、例えば、Ｌ＊ａ＊ｂ＊表色系における明度Ｌ＊、色度ａ＊及び色度ｂ＊である。
【００６０】
ステップＳＴ２０２において、質感評価装置２０は、多角度測色計から複数の色の属性（測色値）を入力する。
【００６１】
ステップＳＴ２０３において、質感評価装置２０は、複数の所定角度に対応して測色された測色値の間を補間するための補間線（色立体測色曲線）を算出する。色立体測色曲線による補間は、補間型スプライン曲線を利用して行われてもよく、ベジュ曲線等をはじめとする他の補間を利用して行われてもよい。色立体測色曲線は、質感空間グラフに描き込まれて画像表示手段に表示された評価対象プロットが質感評価装置２０の入出力手段により選択（クリック）された場合、Ｌ＊ａ＊ｂ＊表色系の座標空間に描き込まれて、その座標空間と共に画像表示手段に表示されてもよい。
【００６２】
ステップＳＴ２０４において、質感評価装置２０は、ステップＳＴ２０２において入力された測色値や、上記の数１及び数２により求められた彩度Ｃ＊や色相ｈ等を示すためのシミュレーション画像を作成し、画像表示手段に表示させる。
【００６３】
図７Ａに示すように、シミュレーション画像は、測色値表示領域１１１と、色表示領域１１０と、色差表示領域１１２とから構成される。測色値表示領域１１１は、複数の所定角度（ここでは、１５°、２５°、４５°、７５°及び１１０°）に対応する明度Ｌ＊、色度ａ＊、色度ｂ＊、彩度Ｃ＊、色相ｈを表示する。色表示領域１１０は、複数の所定角度に対応する色（色立体測色曲線上の色）を角度に対して連続して表示する。色差表示領域１１２は、２角度指定の場合は、例えば、図７Ｂの下方において符号１１３で示すように、ハイライトの１５°とフェースの４５°を指定すると、それぞれの色値から明度差（ΔＬ＊）、彩度差（ΔＣ＊）、色相差（Δｈ）を表示し、最大差の場合は、１５°、２５°４５°、７５°及び１１０°のすべての色値の中から、最大明度と最小明度との差（最大明度差ΔＬ＊）、最大彩度と最小彩度との差（最大彩度差ΔＣ＊）、及び最大色相と最小色相との差（最大色相差Δｈ）等を表示する。
【００６４】
ここで、上述した質感評価装置２０は、ステップＳＴ１０６において明度差ΔＬ＊、彩度差ΔＣ＊及び色相差Δｈをそれぞれ座標軸とする座標空間に、測色明度差、測色彩度差及び測色色相差（ステップＳＴ１０２により得られた２角度色相差、２角度明度差及び２角度彩度差と、ステップＳＴ１０３により得られた最大色相差、最大明度差及び最大彩度差とのうちの一方）をプロットしている。しかしながら、質感評価装置２０は、塗装色の質感の傾向を把握しやすくするために、測色明度差、測色彩度差及び測色色相差を、明度差ΔＬ＊、彩度差ΔＣ＊及び色相差Δｈのうちの２つを座標軸とする座標空間にプロットしてもよい。次に、測色明度差、測色彩度差及び測色色相差を、２次元の座標空間にプロットする場合の処理の流れについて説明する。図８は、２次元の座標空間を作成する場合の処理の流れについて説明するフローである。
【００６５】
ステップＳＴ３０１からステップＳＴ３０６の処理は、ステップＳＴ１００からステップＳＴ１０５までの処理と同様であるので、その説明を省略する。
【００６６】
ステップＳＴ３０７において、質感評価装置２０は、測色色相差、測色明度差及び測色彩度差を、２次元の座標空間（表示面）にプロットするために、表示面を選択する。ここでは、質感評価装置２０は、明度差ΔＬ＊と彩度差ΔＣ＊とを座標軸とするΔＬ＊ΔＣ＊面と、明度差ΔＬ＊と色相差Δｈとを座標軸とするΔＬ＊Δｈ面とのうち、いずれを表示面とするのかを選択する。
【００６７】
ステップＳＴ３０８において、質感評価装置２０は、ステップＳＴ３０３により選択された、２角度色相差、２角度明度差及び２角度彩度差と、最大色相差、最大明度差及び最大彩度差とのうちの一方に基づいて、評価対象プロットを表示面に描くためのプロット位置を算出する。なお、表示面は、ステップＳＴ３０１の処理が行われる前に、質感評価装置２０によって生成される。
【００６８】
ステップＳＴ３０９において、質感評価装置２０は、ステップＳＴ３０９において選択された表示面がΔＬ＊ΔＣ＊面とΔＬ＊Δｈ面とのうちいずれであるのかについて判断する。選択された表示面がΔＬ＊ΔＣ＊面の場合の場合には、ステップＳＴ３１０に進む。選択された表示面がΔＬ＊Δｈ面の場合には、ステップＳＴ３１１に進む。
【００６９】
ステップＳＴ３１０において、質感評価装置２０は、ステップＳＴ３０８により算出されたプロット位置（評価対象プロット）をΔＬ＊ΔＣ＊面に描き込む（図９参照）。図９は、複数の評価対象プロットがプロットされたΔＬ＊ΔＣ＊面を示す。ΔＬ＊ΔＣ＊面は、縦軸が明度差ΔＬ＊を表し、横軸が彩度差ΔＣ＊を表す。図９に示すΔＬ＊ΔＣ＊面には、明度差及び彩度差の評価対象プロットが「黒丸」で示されている。評価対象プロットは、複数の所定角度のうちの基準角度において測色された塗装板の色に設定されていてもよい。
【００７０】
ステップＳＴ３１１において、質感評価装置２０は、ステップＳＴ３０８により算出されたプロット位置をΔＬ＊Δｈ面に表示する（図１０参照）。図１０は、複数の評価対象プロットがプロットされたΔＬ＊Δｈ面を示す。ΔＬ＊Δｈ面は、縦軸が明度差ΔＬ＊を表し、横軸が色相差Δｈを表す。評価対象プロットは、複数の所定角度のうちの基準角度において測色された塗装板の色に設定されていてもよい。
【００７１】
また、ΔＬ＊ΔＣ＊面やΔＬ＊Δｈ面には、図９や図１０に示すように複数の塗装板が測色されることに基づいて複数の評価対象プロットが描かれてもよく、１つの塗装板が測色されることに基づいて１つの評価対象プロットのみが描かれてもよい。ΔＬ＊ΔＣ＊面やΔＬ＊Δｈ面に複数の評価対象プロットがプロットされた場合には、ΔＬ＊ΔＣ＊面やΔＬ＊Δｈ面により複数の塗装板の塗装色の質感を比較することが容易になる。
【００７２】
ステップＳＴ３１２において、質感評価装置２０は、ステップＳＴ３０７において選択された表示面を変更するか否かにつき判断する。表示面を変更する場合（Ｙｅｓ）には、ステップＳＴ３０７に進む。表示面を変更しない場合（Ｎｏ）には、測色色相差、測色明度差及び測色彩度差を、２次元の座標空間（表示面）に描く処理を終了する。
【００７３】
上述したようにΔＬ＊ΔＣ＊面やΔＬ＊Δｈ面に評価対象プロットを描いた場合でも、上述した質感空間グラフに評価対象プロットを描いた場合と同様に、評価対象プロットの位置や分布に基づいて、塗装板における塗装色の質感を評価することができる。
【００７４】
また、外観色質感評価システム１０は、座標空間（質感空間グラフやΔＬ＊ΔＣ＊面やΔＬ＊Δｈ面）において任意の領域を設定し、設定された領域と質感を表す質感言語とを対応付け、その後、質感言語が選択された場合に、選択された質感言語に対応する領域を、評価対象プロットが描かれた座標空間に表示することが可能である。以下において詳述する。
【００７５】
質感言語には、キラキラ感、ギラギラ感、テカテカ感、ツルツル感、粒子感及びヌケ感等がある。このようなキラキラ感やギラギラ感等の質感言語と、質感空間グラフにおける任意の領域とを対応されば、質感言語を用いて質感空間グラフに描かれた評価対象プロットの分布の傾向（塗装色の質感の傾向）等を容易に判断することが可能になる。
【００７６】
まず、質感言語と、質感空間グラフにおける設定される領域（質感言語領域）とを対応付ける処理（言語付与処理）について説明する。図１１は、言語付与処理について説明するフローである。図１２は、質感空間グラフにおける質感言語領域と、質感言語とを対応付ける場合の一例について示す図である。
【００７７】
最初に、質感言語領域を設定する。
ステップＳＴ４０１において、質感評価装置２０は、質感言語領域を設定するための明度差ΔＬ＊の範囲を設定する。
ステップＳＴ４０２において、質感評価装置２０は、質感言語領域を設定するための彩度差ΔＣ＊の範囲を設定する。
ステップＳＴ４０３において、質感評価装置２０は、質感言語領域を設定するための色相差Δｈの範囲を設定する。
【００７８】
ステップＳＴ４０４において、質感評価装置２０は、ステップＳＴ４０１からステップＳＴ４０３によって設定された明度差、彩度差及び色相差の各範囲で囲まれる３次元領域（質感言語領域）に対して、質感言語を付与する。図１２に一例を示すように、キラキラ感、ギラギラ感、テカテカ感及びツルツル感という質感言語と、質感空間グラフにおける各３次元領域（各質感言語領域：図１２において破線で示される領域）とが対応付けられる。
【００７９】
ステップＳＴ４０５において、質感評価装置２０は、新たな質感言語を付与するか否かにつき判断する。すなわち、質感評価装置２０は、質感言語と質感言語領域とを新たに対応付けるか否かにつき判断する。新たな質感言語を付与する場合（Ｙｅｓ）には、ステップＳＴ４０１に進む。新たな質感言語を付与しない場合（Ｎｏ）には、上述した質感言語付与処理によって設定された質感言語領域を質感言語領域ＤＢ３２に記憶して一連の処理を終了する。
【００８０】
次に、言語付与処理によって設定された質感言語領域を質感評価装置２０の画像表示手段に表示する処理について説明する。図１３は、質感言語領域を表示する処理のフロー図である。なお、以下では、質感空間グラフに質感言語領域を表示する例について説明する。
【００８１】
ステップＳＴ５０１において、質感評価装置２０は、上述した言語付与処理により設定された質感言語を選択する。一例としては、質感評価装置２０は、質感言語としてキラキラ感、ギラギラ感、テカテカ感及びツルツル感が設定されている場合に、キラキラ感を選択する。
【００８２】
ステップＳＴ５０２において、質感評価装置２０（質感評価装置２０を構成する色差表示演算手段）は、ステップＳＴ５０１により選択された質感言語（例えば、上述したキラキラ感）に対応する質感言語領域を質感言語領域ＤＢ３２から読み出して、質感空間グラフに表示させると共に、その質感言語領域内にプロットされる評価対象プロットを表示させる。なお、質感評価装置２０は、質感空間グラフに質感言語領域が表示させた場合、表示された質感言語領域の内部にある評価対象プロットのみを表示させることもできる。
【００８３】
ステップＳＴ５０３において、質感評価装置２０は、ステップＳＴ５０２により表示された質感言語領域以外の他の質感言語領域を画像表示手段に表示するために、他の質感言語領域を選択するか否かにつき判断する。他の質感言語領域を選択する場合（Ｙｅｓ）には、ステップＳＴ５０１に進む。他の質感言語領域を選択しない場合（Ｎｏ）には、質感言語領域を表示する処理を終了する。
【００８４】
ステップＳＴ５０１からステップＳＴ５０３の処理により複数の質感言語領域が選択された場合には、図１２に示すように質感空間グラフに質感言語領域が複数表示される。
【００８５】
これにより、質感空間グラフ内の質感言語領域と、人間の感覚である質感言語とを対応付けることにより、明度差や彩度差や色相差がどの程度であれば金属感、ヌケ感、キラキラ感、ギラギラ感、透明感、深み感、鮮明感、色たまり感、緻密感等の個別の質感が発生するのか視覚により確認することができる。また、国や民族による感覚や言葉の違いかかわらず、塗装色の質感を客観的に評価することができる。さらに、質感言語領域と質感言語とを対応付けることにより、質感空間グラフにプロットされる評価対象プロットを質感言語別に表示させることが可能になる。
【００８６】
図１４は、本発明の一実施形態に係る情報処理装置５００のハードウェア構成を示す図である。外観色質感評価装置としての情報処理装置５００は、入出力手段（入力部）としての入力装置５５０、表示手段としての画像表示部５４０、処理手段（処理部）としてのＣＰＵ５１０及び主記憶部５２０を備える。入力装置５５０には、多角度測色計（図示せず）によって塗装板が測色されることにより得られた測色値が入力される。画像表示部５４０は、画像を表示する。ＣＰＵ５１０は、明度差、彩度差及び色相差をそれぞれ座標軸とする座標空間、又は明度差、彩度差及び色相差のうちの２つを座標軸とする座標空間を画像表示部５４０に表示させる。
【００８７】
また、情報処理装置５００は、画像表示制御部５３０、測色値入力制御部５５２、質感言語領域入力制御部５５４、ＵＳＢ端子５７２を含むＵＳＢ端子制御部５７０等の制御部を備える。また、情報処理装置５００には、測色値データベース部６１０及び質感言語領域データベース部６２０が接続される。測色値データベース部６１０は、測色値に基づいて得られる明度差、彩度差及び色相差の各情報を格納する。質感言語領域データベース部６２０は、明度差、彩度差及び色相差のそれぞれにおいて設定された任意の範囲と質感を表す言語とを対応させた情報を格納する。
【００８８】
また、情報処理装置５００には、色差表示演算部５８０が接続される。色差表示演算部５８０は、測色値データベース部６１０に格納された明度差、彩度差及び色相差の各情報に基づく明度差、彩度差及び色相差と、質感言語領域データベース部６２０に格納された任意の範囲と質感を表す言語とを対応させる情報に基づく任意の範囲で囲まれる領域とを、ＣＰＵ５１０によって画像表示部５４０に表示されたいずれかの座標空間に表示する。
入力装置５５０は、キーボード入力制御部５５６、キーボード５５８、外部入力端子入力制御部５６０、外部入力端子５６２等を備える。
【００８９】
好適には、情報処理装置５００は、本発明に係る外観色質感評価システム１０の情報処理装置の機能を有する。すなわち、図１４に示す情報処理装置５００は、図１に示した質感評価装置２０として用いられる。あるいは、情報処理装置５００の入出力手段である入力装置５５０は、図１に示したユーザ端末６０が備えるものでもよく、表示手段である画像表示部５４０は電子的表示装置６５でもよく、画像処理手段であるＣＰＵ５１０及び主記憶部５２０は質感評価装置２０が備えるものでもよい。
【符号の説明】
【００９０】
１  外観色質感評価システム
２０  質感評価装置
３１  測色値データベース
３２  質感言語領域データベース
５００  情報処理装置
【図１】
2012002704.tif 000005
【図２】
2012002704.tif 000006
【図３】
2012002704.tif 000007
【図４】
2012002704.tif 000008
【図５】
2012002704.tif 000009
【図６】
2012002704.tif 000010
【図７Ａ】
2012002704.tif 000011
【図７Ｂ】
2012002704.tif 000012
【図８】
2012002704.tif 000013
【図９】
2012002704.tif 000014
【図１０】
2012002704.tif 000015
【図１１】
2012002704.tif 000016
【図１２】
2012002704.tif 000017
【図１３】
2012002704.tif 000018
【図１４】
2012002704.tif 000019